(57)【特許請求の範囲】
【請求項１】
縒り合わされた線材からなる芯材と芯材の周囲に配置された繊維からなるマスカラブラシにおいて、繊維の包絡面をなす繊維の先端部に、曲げ加工がマスカラブラシの長手方向に施されている領域と曲げ加工が施されていない領域とがマスカラブラシの周方向に交互に設けられているマスカラブラシ。
【請求項２】
繊維の先端部に曲げ加工がマスカラブラシの長手方向に施されている領域と曲げ加工が施されていない領域とのマスカラブラシの周方向の繰り返し数が５以下である請求項１記載のマスカラブラシ。
【請求項３】
マスカラブラシの横断面形状において、繊維の包絡面がなす輪郭のうち曲げ加工がマスカラブラシの長手方向に施されている領域の、芯材の中心を中心とする中心角の総和が、１２０〜２４０°である請求項１記載のマスカラブラシ。
【請求項４】
線材を縒り合わせながら線材間に繊維を挟持させることにより、芯材の周囲に繊維を配置したブラシを作製し、該ブラシを筒状の加熱治具に該ブラシの長手方向に挿入してマスカラブラシを製造する方法であって、加熱治具として、周方向に加熱部位と非加熱部位とを交互に有し、加熱部位の内径が、該加熱部位に対向するブラシの繊維の包絡面の横断面の径以下で、非加熱部位の内径が、該非加熱部位に対向するブラシの繊維の包絡面の横断面の径よりも大きいものを使用することにより、請求項１記載のマスカラブラシを得るマスカラブラシの製造方法。
【請求項５】
加熱治具が、加熱部位と非加熱部位との間に断熱部位を有する請求項４記載のマスカラブラシの製造方法。
【請求項６】
加熱治具の加熱部位と非加熱部位との周方向の繰り返し数が５以下である請求項４記載のマスカラブラシの製造方法。
【発明の詳細な説明】
【０００１】
【発明の属する技術分野】
本発明は、ブラシの繊維の先端部に特定の曲げ加工を施したマスカラブラシに関する。
【０００２】
【従来の技術】
マスカラ化粧用具１は、概略、図４（ａ）、（ｂ）に示すように、マスカラ剤２を収容しているマスカラ剤容器３とマスカラブラシ４からなっている。マスカラブラシ４は、線材を縒り合わせた芯材６とその線材に挟持され、芯材６の周囲に配置された繊維７からなるブラシ部８と、マスカラブラシ４の柄とマスカラ剤容器３のキャップとを兼ねるキャップ部材５からなっている。
【０００３】
従来、マスカラブラシ４の繊維７に十分な量のマスカラ剤２を付着させるため、あるいはまつ毛に対するキャッチアップ感を向上させるため、繊維７の先端部に刻み目をつけて回転研磨し、繊維の先端部にかぎ型を形成する方法（特許２８２１９１７号）、マスカラブラシ４を回転させながら面状ヒーターを走行させ、繊維７の先端に溶融球状部を形成する方法（特公平６−５１０１０号公報）、熱空気や赤外線で繊維を加熱することにより、繊維の先端部に球状部を形成する方法（特開平６−２２８１５号公報）などの繊維の先端部の加工方法が提案されている。
【０００４】
【発明が解決しようとする課題】
しかしながら、従来のマスカラブラシにおける繊維の先端部の加工方法は、その加工がマスカラブラシ４の全周に施される。このため、マスカラブラシを用いてまつ毛にマスカラ剤を塗布する際に、まつ毛がマスカラブラシの内部に十分に入り込まず、まつ毛に付着するマスカラ剤の量が低減し、まつ毛をからめ取るように保持するキャッチアップ感やボリュームアップ効果が十分でないという問題がある。
【０００５】
このような問題に対し、本発明は、マスカラブラシの繊維の先端部の加工により、優れたキャッチアップ感を得られるようにすることを目的とする。
【０００６】
【課題を解決するための手段】
本発明者は、マスカラブラシの繊維の先端に曲げ加工を施すにあたり、マスカラブラシの全周に曲げ加工を施すと、まつ毛が繊維の内部に入り込みにくいが、曲げ加工を施さない領域と曲げ加工を施した領域とをマスカラブラシの周方向に交互に設けると、キャッチアップ感を向上させられることを見出した。
【０００７】
即ち、本発明は、縒り合わされた線材からなる芯材と芯材の周囲に配置された繊維からなるマスカラブラシにおいて、繊維の先端部に曲げ加工が施されている領域と曲げ加工が施されていない領域とが、マスカラブラシの周方向に交互に設けられているマスカラブラシを提供する。
【０００８】
また、このマスカラブラシを効率的に製造する方法として、線材を縒り合わせながら線材間に繊維を挟持させることにより、芯材の周囲に繊維を配置したブラシを作製し、該ブラシを筒状の加熱治具に挿入してマスカラブラシを製造する方法であって、加熱治具として、周方向に加熱部位と非加熱部位とを交互に有し、加熱部位の内径が、該加熱部位に対向するブラシの繊維の包絡面の横断面の径以下で、非加熱部位の内径が、該非加熱部位に対向するブラシの繊維の包絡面の横断面の径よりも大きいものを使用することにより、上述の本発明のマスカラブラシを得るマスカラブラシの製造方法を提供する。
【０００９】
【発明の実施の形態】
以下、図面を参照しつつ、本発明を詳細に説明する。なお、各図中、同一符号は、同一又は同等の構成要素を表している。
【００１０】
図１は、本発明の一実施例のマスカラブラシ４Ａの斜視図（同図（ａ））及び断面図（同図（ｂ））である。
【００１１】
このマスカラブラシ４Ａは、図４に示したマスカラ化粧用具１のマスカラブラシ４と同様に、マスカラ剤容器３と共に使用されるものであり、線材を縒り合わせた芯材６とその線材に挟持され、芯材６の周囲に配置された繊維７からなるブラシ部８と、マスカラブラシ４Ａの柄とマスカラ剤容器３のキャップとを兼ねるキャップ部材５からなっている。
【００１２】
このマスカラブラシ４Ａは、繊維７の先端部に曲げ加工が施されている領域Ａと、繊維７の先端部に曲げ加工が施されておらず、繊維７が真っ直ぐ伸びている領域Ｂとが、マスカラブラシ４Ａの周方向に交互に３回繰り返し設けられている点が特徴となっている。これにより、マスカラブラシ４Ａを用いてまつ毛にマスカラ剤を塗布する際に、曲げ加工が施されていない領域Ｂでは、まつ毛が、マスカラ剤２が保持されている繊維７の内部に容易に入り込み、曲げ加工が施されている領域Ａでは、繊維７の内部に入り込んだまつ毛が引っ掛かってそこから抜けにくくなるので、まつ毛に十分にマスカラ剤を塗布することができ、かつ曲げ加工が施されている領域Ａの作用によりキャッチアップ感を向上させることができる。
【００１３】
ここで、曲げ加工の曲げの方向は、キャッチアップ感を高める点からマスカラブラシ４Ａの長手方向とすることが好ましく、特に、マスカラブラシ４Ａの先端９側に曲がった繊維７とキャップ部材５側に曲がった繊維７とが混在するようにすることが好ましい。また、曲げの程度は、マスカラブラシ４Ａの横断面（即ち、マスカラブラシ４Ａの長手方向と垂直な面）における、曲げ加工を施す前の繊維７の包絡面の直径が４〜１０ｍｍであるときに、曲げ加工を施した後には、繊維７の包絡面の外周端の位置が、０．０５〜２ｍｍ、特に０．１〜０．５ｍｍ内周側に移動するようにすることが好ましい。なお、曲げ加工を施す前の繊維７の包絡面の直径は、好ましくは４〜１０ｍｍ、より好ましくは５〜８ｍｍ、特に好ましくは５〜６ｍｍである。
【００１４】
本発明において、曲げ加工が施されている領域Ａと曲げ加工が施されていない領域Ｂとのマスカラブラシ４Ａの周方向の繰り返し数は、多すぎるとマスカラブラシの全周に曲げ加工を施した場合と実質的に等しくなり、まつ毛が繊維７の内部に入り込む領域Ｂの周方向の長さを十分に確保できないので、５以下とすることが好ましく、特に図１に示したように３、あるいは２とすることが好ましい。領域Ａと領域Ｂの周方向の繰り返し数が少ないと、マスカラブラシ４Ａのまつ毛にあてる部分を変えることで、カールアップやボリュームを好みに応じて調整することが容易となる。
【００１５】
また、図１（ｂ）に示すように、マスカラブラシ４Ａの横断面の形状において、繊維７の包絡面１０がなす輪郭のうち曲げ加工が施されている領域Ａの、芯材６の中心ｏを中心とする中心角の総和（θ1 ＋θ2 ＋θ3 ）を、１２０〜２４０°とすることが好ましく、１５０〜２１０°とすることがより好ましい。これにより、まつ毛が入りやすい部分とまつ毛を引っ掛けやすい部分とをうまくバランスさせることができる。
【００１６】
一方、曲げ加工を施す繊維７としては、ポリアミド、ポリエステル等の柔軟性と弾性を備えた合成樹脂繊維が好ましい。
【００１７】
以上のように、繊維の先端部に曲げ加工が施されている領域Ａと曲げ加工が施されていない領域Ｂとが、マスカラブラシ４Ａの周方向に交互に設けられているマスカラブラシ４Ａの製造方法の一態様としては、まず、常法により線材を縒り合わせながら線材間に繊維７を挟持させて、図２（ａ）のように、芯材６の周囲に繊維７を配置したブラシ１１を作製する。
【００１８】
一方、筒状の加熱治具２０を用意する。この加熱治具２０は、周方向に加熱部位２１と非加熱部位２２とを交互に有し、加熱部位２１の内径２ｒ1 が、ブラシ１１の横断面における繊維７の包絡面１０の直径２Ｒと同じかそれよりも小さく、非加熱部位２２の内径２ｒ2 がこの包絡面１０の直径２Ｒよりも大きくなっている。より具体的には、ブラシ１１の横断面における繊維７の包絡面１０の直径２Ｒが５．０ｍｍの場合、加熱部位２１の内径２ｒ1 を４．０〜５．０ｍｍとし、非加熱部位２２の内径２ｒ2 を５．１ｍｍ以上とすることが好ましく、繊維７の包絡面１０の直径２Ｒが８．０ｍｍの場合、加熱部位２１の内径２ｒ1 を７．０〜８．０ｍｍとし、非加熱部位２２の内径２ｒ2 を８．１ｍｍ以上とすることが好ましい。
【００１９】
加熱部位２１における加熱方法としては、例えば、電気ヒータ、オイルヒータ等を使用する。加熱温度は繊維７の形成素材に応じて適宜定める。例えば、繊維７がナイロン６からなる場合、融解温度を下回り、組成変形を示す温度領域として、１８０〜１９０℃に加熱する。
【００２０】
また、加熱部位２１と非加熱部位２２との間には断熱材２３を設けることが好ましい。断熱材２３としては、セラミック等の鉱物系断熱材や真空構造を有する断熱部材等を設けることができる。
【００２１】
この加熱治具２０に、ブラシ１１をその先端９から矢印のように挿入し、所定時間おいた後、加熱治具２０を通過させる。あるいは、加熱治具２０内で所定時間おいた後、ブラシ１１を元の方向に取り出す。これにより、図３に示すように、加熱治具２０の加熱部位２１にある繊維７の先端部には曲げ加工が施され、非加熱部位２２にある繊維７の先端部には曲げ加工が施されないので、曲げ加工が施された領域Ａと曲げ加工が施されていない領域Ｂとをマスカラブラシの周方向に交互に形成することができる。また、ブラシ１１を加熱治具２０内で往復させることにより、繊維７の先端部がマスカラブラシ４Ａの先端９側に曲がったものとキャップ部材５側に曲がったものとを混在させることができる。
【００２２】
なお、加熱治具２０において加熱部位２１と非加熱部位２２とを隣接させると、非加熱部位２２にも熱が伝わり、非加熱部位２２においても繊維７の先端部が熱により変形するが、上述の加熱治具２０によれば、加熱部位２１と非加熱部位２２との間に断熱材２３が設けられているので、加熱部位２１と非加熱部位２２とに明確な温度差を設けることができる。
【００２３】
マスカラブラシ４Ａの製造方法としては、上述の加熱治具２０を用いると極めて効率的に本発明のマスカラブラシを製造できるので好ましいが、上述の加熱治具２０の他、ブラシ１１の周囲から加熱プレートを押し当てることによっても製造することができる。
【００２４】
また、曲げ加工を施す前のブラシ１１の外形は、円柱状だけでなく、多角柱状等とすることができ、より多種類の又は複雑なパターンのマスカラブラシを作製することができる。
【００２５】
【発明の効果】
本発明のマスカラブラシによれば、繊維の先端部に曲げ加工が施されている領域と曲げ加工が施されていない領域とが、マスカラブラシの周方向に交互に設けられているので、まつ毛にマスカラ剤を塗布する際に、曲げ加工が施されていない領域でまつ毛をマスカラ剤が保持されている繊維の内部に入り込ませ、曲げ加工が施されている領域で繊維の内部に入り込んだまつ毛をそこから抜けにくくすることができる。したがって、まつ毛に十分にマスカラ剤を塗布することができ、さらに高いキャッチアップ感も得ることができる。
【図面の簡単な説明】
【図１】  本発明のマスカラブラシの斜視図及び断面図である。
【図２】  加熱治具の斜視図及び上面図である。
【図３】  ブラシを挿入した状態の加熱治具の断面図である。
【図４】  従来のマスカラ化粧用具の側面図及び断面図である。
【符号の説明】
１    マスカラ化粧用具
２    マスカラ剤
３    マスカラ剤容器
４Ａ  マスカラブラシ
５    キャップ部材
６    芯材
７    繊維
８    ブラシ部
１０    繊維の包絡面
１１    ブラシ
２０    加熱治具
２１    加熱部位
２２    非加熱部位
２３    断熱材
Ａ    繊維の先端部に曲げ加工が施されている領域
Ｂ    繊維の先端部に曲げ加工が施されていない領域
【図１】
0004069623.tif 000002
【図２】
0004069623.tif 000003
【図３】
0004069623.tif 000004
【図４】
0004069623.tif 000005